【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
貫通する複数の細孔を有する支持部材、並びに
第1のモノマー及び第1の架橋剤から誘導されたポリマーを含む架橋ゲル
を含むコンポジット材料であって、
架橋ゲルは、支持部材の細孔内に位置しており、
第1のモノマーは、2つのチオール官能基を含み、
第1の架橋剤が、(i)少なくとも3つの炭素-炭素二重結合、(ii)少なくとも2つの炭素-炭素三重結合、又は(iii)少なくとも1つの炭素-炭素三重結合及び少なくとも1つの炭素-炭素二重結合を含む、
コンポジット材料。
【請求項２】
第1のモノマーが、2,2'-(エチレンジオキシ)ジエタンチオール(EDDET)、1,2-エタンジチオール、1,4-ブタンジチオール、PEGジチオール(直鎖PEGジチオールなど)、1,6-ヘキサンジチオール、2,2'-チオジエタンジオール、エタン-1,2-ジイルビス(3-メルカプトプロパノエート)、ヘキサ(エチレングリコール)ジチオール、テトラ(エチレングリコール)ジチオール、1,16-ヘキサデカンジチオール、ベンゼン-1,2-ジチオール、ベンゼン-1,3-ジチオール、ベンゼン-1,4-ジチオール、ビフェニル-4,4'-ジチオール、p-ターフェニル-4,4''-ジチオール、(S)-2-アミノブタン-1,4-ジチオール塩酸塩、4-フェニル-4H-(1,2,4)トリアゾール-3,5-ジチオール、5-(4-クロロフェニル)-ピリミジン-4,6-ジチオール、1,4-ベンゼンジメタンチオール、2-メルカプトエチルエーテル又はL-(-)-ジチオトレイトールである、請求項1に記載のコンポジット材料。
【請求項３】
ポリマーが、第1のモノマー、第1の架橋剤、及び第2のモノマーから誘導され、第2のモノマーが、2つの末端炭素-炭素二重結合を含む、請求項1又は2に記載のコンポジット材料。
【請求項４】
第2のモノマーが、トリ(エチレングリコール)ジビニルエーテル(TEGDV)、1,9-デカジエン、1,4-ビス(ビニルオキシ)ブタン、ジアリルフタレート、ジアリルジグリコールカーボネート、ポリ(エチレングリコール)ジビニルエーテル、ジビニルグリコール、ジビニルベンゼン、ジビニルスルホン、1,4-ブタンジオールジビニルエーテル、アリルエーテル、アリルスルフィド、1,4-ビス(4-ビニルフェノキシ)ブタン、1,5-ヘキサジエン、ジペンテン、(R)-(+)-リモネン、(S)-(-)-リモネン、N,N'-メチレンビス(アクリルアミド)又はN,N'-エチレンビス(アクリルアミド)である、請求項1〜3のいずれか一項に記載のコンポジット材料。
【請求項５】
ポリマーが、第1のモノマー、第1の架橋剤、第2のモノマー及び第3のモノマーから誘導され、第3のモノマーが、(+)-N,N'-ジアリルタートルアミド(DATA)、ジアリルジスルフィド、炭酸ジアリル、マレイン酸ジアリル、コハク酸ジアリル、トリメチロールプロパンジアリルエーテル、1,1-ジアリル-1-ドコサノール、1,1-ジアリル-3-(1-ナフチル)ウレア、1,1-ジアリル-3-(2-エチルフェニル)ウレア、1,2-ジアリル-1,2-シクロヘキサンジオール、2,6-ジアリル-メタ-クレゾール、N,N-ジアリル-2-ヒドロキシプロパンアミド、1,4-ペンタジエン-3-オール、トリメチル(プロパルギル)シラン又はプロパルギルアミンである、請求項1〜4のいずれか一項に記載のコンポジット材料。
【請求項６】
第1の架橋剤が、1,3,5-トリアリル-1,3,5-トリアジン-2,4,6(1H,3H,5H)-トリオン(TATATO)、1,6-ヘプタジイン、1,7-オクタジイン、1,8-ノナジイン、1,9-デカジイン、プロパルギルアクリレート、4-アームPEGノルボルネン、トリメチロールプロパントリアクリレート、テトラ-アルキンポリ(エチレングリコール)、2,4,6-トリアリルオキシ-1,3,5-トリアジン、トリアリルアミン、ホウ酸トリアリル、トリアリルホスフィン、フマル酸ジアリル、3-(アリルオキシ)-1-プロピン、グリオキサールビス(ジアリルアセタール)、テトラアリルシラン、プロパルギルエーテル又はスクワレンである、請求項1〜5のいずれか一項に記載のコンポジット材料。
【請求項７】
ポリマーが、第1のモノマー、第1の架橋剤及び第2の架橋剤から誘導され、第2の架橋剤が、(i)少なくとも3つのチオール官能基、(ii)少なくとも3つの炭素-炭素二重結合、(iii)少なくとも2つの炭素-炭素三重結合、又は(iv)少なくとも1つの炭素-炭素三重結合及び少なくとも1つの炭素-炭素二重結合を含む、請求項1〜6のいずれか一項に記載のコンポジット材料。
【請求項８】
第2の架橋剤が、1,3,5-トリアリル-1,3,5-トリアジン-2,4,6(1H,3H,5H)-トリオン(TATATO)、1,6-ヘプタジイン、1,7-オクタジイン、1,8-ノナジイン、1,9-デカジイン、プロパルギルアクリレート、2,4,6-トリアリルオキシ-1,3,5-トリアジン、トリアリルアミン、ホウ酸トリアリル、トリアリルホスフィン、フマル酸ジアリル、3-(アリルオキシ)-1-プロピン、ジプロパルギルアミン、5,6-ジメチル-5-デセン-1,9-ジイン、グリオキサールビス(ジアリルアセタール)、テトラアリルシラン、プロパルギルエーテル、スクワレン、トリメチロールプロパントリ(3-メルカプトプロピオネート)、ペンタエリスリトールテトラ(3-メルカプトプロピオネート)、ポリ(エチレングリコール)テトラチオール、トリス[2(3-メルカプトプロピオニルオキシ)エチル]イソシアヌレート、ペンタエリスリトールテトラキス(2-メルカプトアセテート)トリチオシアヌル酸又は1-チオヘキシトールである、請求項7に記載のコンポジット材料。
【請求項９】
架橋ゲルが複数のグラフト末端基をさらに含む、請求項1〜8のいずれか一項に記載のコンポジット材料。
【請求項１０】
グラフト末端基が、チオール官能基を有する分子又は炭素-炭素不飽和結合を有する分子から誘導される、請求項9に記載のコンポジット材料。
【請求項１１】
グラフト末端基が、チオール官能基を有する分子から誘導され、チオール官能基を有する分子が、3-メルカプトプロピオン酸、1-メルカプトコハク酸、システイン残基を有するペプチド、システイン残基を有するタンパク質、システアミン、1-チオヘキシトール、ポリ(エチレングリコール)2-メルカプトエチルエーテル酢酸、ポリ(エチレングリコール)メチルエーテルチオール、1-チオグリセロール、2-ナフタレンチオール、ビフェニル-4-チオール、3-アミノ-1,2,4-トリアゾール-5-チオール、5-(トリフルオロメチル)ピリジン-2-チオール、1-[2-(ジメチルアミノ)エチル]-1H-テトラゾール-5-チオール、1-プロパンチオール、1-ブタンチオール、1-ペンタンチオール、1-ヘキサンチオール、1-オクタンチオール、8-アミノ-1-オクタンチオール塩酸塩、3,3,4,4,5,5,6,6,7,7,8,8,8-トリデカフルオロ-1-オクタンチオール、8-メルカプト-1-オクタノール又はγ-Glu-Cysである、請求項9又は10に記載のコンポジット材料。
【請求項１２】
第1のリガンドをさらに含み、
第1のリガンドが、
イオン交換官能基、疎水性相互作用部分又はバイオ分子、及び
少なくとも1つのグラフト基
を含む、請求項9に記載のコンポジット材料。
【請求項１３】
架橋ゲルがバイオ分子である第1のリガンドを含む、請求項9に記載のコンポジット材料。
【請求項１４】
ポリマーが、第1のモノマー、第1の架橋剤、第2のモノマー、第1のリガンド、及び第2のリガンドから誘導され、
第1のリガンドがバイオ分子であり、
第2のモノマーが2つの末端炭素-炭素二重結合を含み、
第2のリガンドがバイオ分子であり、
第2のリガンドが第2の架橋剤である、
請求項12に記載のコンポジット材料。
【請求項１５】
ポリマーが、第1のモノマー、第1の架橋剤、第2のモノマー、第3のモノマー、第1のリガンド、第2のリガンド、及び第3のリガンドから誘導され、
第3のモノマーが2つの末端炭素-炭素二重結合を含み、
第3のリガンドがバイオ分子であり、
第3のリガンドが第3の架橋剤である、
請求項14に記載のコンポジット材料。
【請求項１６】
バイオ分子がシステイン-プロテインAである、請求項12〜15のいずれか一項に記載のコンポジット材料。
【請求項１７】
第2のモノマーがポリ(エチレングリコール)ジビニルエーテルである、請求項14に記載のコンポジット材料。
【請求項１８】
第3のモノマーがポリ(エチレングリコール)ジビニルエーテルである、請求項15に記載のコンポジット材料。
【請求項１９】
コンポジット材料が膜である、請求項1〜18のいずれか一項に記載のコンポジット材料。
【請求項２０】
コンポジット材料を作製する方法であって、
第1のモノマー、第1の架橋剤、光開始剤及び溶媒を一緒にし、それによりモノマー混合物を形成するステップであって、第1のモノマーが、2つのチオール官能基を含み、第1の架橋剤が、(i)少なくとも3つの炭素-炭素二重結合、(ii)少なくとも2つの炭素-炭素三重結合、又は(iii)少なくとも1つの炭素-炭素三重結合及び少なくとも1つの炭素-炭素二重結合を含む、ステップ、
支持部材をモノマー混合物に接触させ、それにより、修飾支持部材を形成するステップであって、支持部材が、その支持部材を貫通する複数の細孔を有し、細孔の平均細孔径が約0.1〜約25μmである、ステップ、
修飾支持部材をポリマーシートにより被覆し、それにより被覆支持部材を形成するステップ、並びに
被覆支持部材にある時間、照射を行い、それにより、コンポジット材料を形成するステップ
を含む方法。
【請求項２１】
第1の流速で、ある物質を含む第1の流体を、請求項1〜19のいずれか一項に記載のコンポジット材料に接触させ、それにより、コンポジット材料上に前記物質の一部を吸着又は吸収させるステップを含む方法。
【請求項２２】
第1の流体が、断片化抗体、凝集抗体、宿主細胞由来タンパク質、ポリヌクレオチド、内毒素又はウイルスをさらに含む、請求項21に記載の方法。
【請求項２３】
第2の流速で、第2の流体をコンポジット材料上に吸着又は吸収された物質に接触させ、それにより、コンポジット材料から前記物質の一部を放出させるステップ
をさらに含む、請求項21又は22に記載の方法。
【請求項２４】
前記物質が、生体分子、生体イオン、ウイルス又はウイルス粒子である、請求項21〜23のいずれか一項に記載の方法。
【請求項２５】
生体分子又は生体イオンが、アルブミン、リゾチーム、ウイルス、細胞、ヒト及び動物起源のγ-グロブリン、ヒト及び動物起源の免疫グロブリン、組換え及び天然起源のタンパク質、合成及び天然起源のポリペプチド、インターロイキン-2及びその受容体、酵素、モノクローナル抗体、トリプシン及びその阻害剤、シトクロムC、ミオグロビン、ミオグロブリン、α-キモトリプシノーゲン、組換えヒトインターロイキン、組換え融合タンパク質、核酸由来生成物、合成及び天然起源のDNA、及び合成及び天然起源のRNAからなる群から選択される、請求項24に記載の方法。
【請求項２６】
生体分子又は生体イオンが、リゾチーム、hIgG、ミオグロビン、ヒト血清アルブミン、ダイズトリプシンインヒビター、トランスフェリング、エノラーゼ、オボアルブミン、リボヌクレアーゼ、卵トリプシンインヒビター、シトクロムc、アネキシンV又はα-キモトリプシノーゲンである、請求項24に記載の方法。
【手続補正２】
【補正対象書類名】明細書
【補正対象項目名】０３１１
【補正方法】変更
【補正の内容】
【０３１１】
均等物
当業者は、型通りの実験だけを使用して、本明細書に記載されている本発明の具体的な実施形態に対する多くの均等物を認識するか、又は確認することができるであろう。このような均等物は、以下の特許請求の範囲によって包含されることが意図されている。
本発明は、以下の実施形態を含む。
［項１］
貫通する複数の細孔を有する支持部材、並びに
第1のモノマー及び第1の架橋剤から誘導されたポリマーを含む架橋ゲル
を含むコンポジット材料であって、
架橋ゲルは、支持部材の細孔内に位置しており、
第1のモノマーは、2つのチオール官能基を含み、
第1の架橋剤が、(i)少なくとも3つの炭素-炭素二重結合、(ii)少なくとも2つの炭素-炭素三重結合、又は(iii)少なくとも1つの炭素-炭素三重結合及び少なくとも1つの炭素-炭素二重結合を含む、
コンポジット材料。
［項２］
第1のモノマーが2つの末端チオール官能基を含む、項1に記載のコンポジット材料。
［項３］
第1のモノマーが、2,2'-(エチレンジオキシ)ジエタンチオール(EDDET)、1,2-エタンジチオール、1,4-ブタンジチオール、PEGジチオール(直鎖PEGジチオールなど)、1,6-ヘキサンジチオール、2,2'-チオジエタンジオール、エタン-1,2-ジイルビス(3-メルカプトプロパノエート)、ヘキサ(エチレングリコール)ジチオール、テトラ(エチレングリコール)ジチオール、1,16-ヘキサデカンジチオール、ベンゼン-1,2-ジチオール、ベンゼン-1,3-ジチオール、ベンゼン-1,4-ジチオール、ビフェニル-4,4'-ジチオール、p-ターフェニル-4,4''-ジチオール、(S)-2-アミノブタン-1,4-ジチオール塩酸塩、4-フェニル-4H-(1,2,4)トリアゾール-3,5-ジチオール、5-(4-クロロフェニル)-ピリミジン-4,6-ジチオール、1,4-ベンゼンジメタンチオール、2-メルカプトエチルエーテル又はL-(-)-ジチオトレイトールである、項1に記載のコンポジット材料。
［項４］
第2のモノマーをさらに含み、第2のモノマーが、2つの末端炭素-炭素二重結合を含む、項1〜3のいずれか一項に記載のコンポジット材料。
［項５］
第2のモノマーが、トリ(エチレングリコール)ジビニルエーテル(TEGDV)、1,9-デカジエン、1,4-ビス(ビニルオキシ)ブタン、ジアリルフタレート、ジアリルジグリコールカーボネート、ポリ(エチレングリコール)ジビニルエーテル、ジビニルグリコール、ジビニルベンゼン、ジビニルスルホン、1,4-ブタンジオールジビニルエーテル、アリルエーテル、アリルスルフィド、1,4-ビス(4-ビニルフェノキシ)ブタン、1,5-ヘキサジエン、ジペンテン、(R)-(+)-リモネン、(S)-(-)-リモネン、N,N'-メチレンビス(アクリルアミド)又はN,N'-エチレンビス(アクリルアミド)である、項4に記載のコンポジット材料。
［項６］
コンポジット材料が第3のモノマーをさらに含み、第3のモノマーが2つの炭素-炭素二重結合を含む、項4又は5に記載のコンポジット材料。
［項７］
第3のモノマーが2つの末端炭素-炭素二重結合を含む、項6に記載のコンポジット材料。
［項８］
第3のモノマーが、(+)-N,N'-ジアリルタートルアミド(DATA)、ジアリルジスルフィド、炭酸ジアリル、マレイン酸ジアリル、コハク酸ジアリル、トリメチロールプロパンジアリルエーテル、1,1-ジアリル-1-ドコサノール、1,1-ジアリル-3-(1-ナフチル)ウレア、1,1-ジアリル-3-(2-エチルフェニル)ウレア、1,2-ジアリル-1,2-シクロヘキサンジオール、2,6-ジアリル-メタ-クレゾール、N,N-ジアリル-2-ヒドロキシプロパンアミド、1,4-ペンタジエン-3-オール、トリメチル(プロパルギル)シラン又はプロパルギルアミンである、項6又は7に記載のコンポジット材料。
［項９］
第1の架橋剤が、少なくとも3つの炭素-炭素二重結合を含む、項1〜8のいずれか一項に記載のコンポジット材料。
［項１０］
第1の架橋剤が、3つの炭素-炭素二重結合を含む、項1〜8のいずれか一項に記載のコンポジット材料。
［項１１］
第1の架橋剤が、3つの末端炭素-炭素二重結合を含む、項1〜8のいずれか一項に記載のコンポジット材料。
［項１２］
第1の架橋剤が、2つの炭素-炭素三重結合を含む、項1〜8のいずれか一項に記載のコンポジット材料。
［項１３］
第1の架橋剤が、2つの末端炭素-炭素三重結合を含む、項1〜8のいずれか一項に記載のコンポジット材料。
［項１４］
第1の架橋剤が、1,3,5-トリアリル-1,3,5-トリアジン-2,4,6(1H,3H,5H)-トリオン(TATATO)、1,6-ヘプタジイン、1,7-オクタジイン、1,8-ノナジイン、1,9-デカジイン、プロパルギルアクリレート、4-アームPEGノルボルネン、トリメチロールプロパントリアクリレート、テトラ-アルキンポリ(エチレングリコール)、2,4,6-トリアリルオキシ-1,3,5-トリアジン、トリアリルアミン、ホウ酸トリアリル、トリアリルホスフィン、フマル酸ジアリル、3-(アリルオキシ)-1-プロピン、グリオキサールビス(ジアリルアセタール)、テトラアリルシラン、プロパルギルエーテル又はスクワレンである、項1〜8のいずれか一項に記載のコンポジット材料。
［項１５］
第2の架橋剤をさらに含み、第2の架橋剤が、(i)少なくとも3つのチオール官能基、(ii)少なくとも3つの炭素-炭素二重結合、(iii)少なくとも2つの炭素-炭素三重結合、又は(iv)少なくとも1つの炭素-炭素三重結合及び少なくとも1つの炭素-炭素二重結合を含む、項1〜14のいずれか一項に記載のコンポジット材料。
［項１６］
第2の架橋剤が、少なくとも2つの炭素-炭素三重結合を含む、項15に記載のコンポジット材料。
［項１７］
第2の架橋剤が、2つの炭素-炭素三重結合を含む、項15に記載のコンポジット材料。
［項１８］
第2の架橋剤が、2つの末端炭素-炭素三重結合を含む、項15に記載のコンポジット材料。
［項１９］
第2の架橋剤が第1の架橋剤とは異なる、項15〜18のいずれか一項に記載のコンポジット材料。
［項２０］
第2の架橋剤が、1,3,5-トリアリル-1,3,5-トリアジン-2,4,6(1H,3H,5H)-トリオン(TATATO)、1,6-ヘプタジイン、1,7-オクタジイン、1,8-ノナジイン、1,9-デカジイン、プロパルギルアクリレート、2,4,6-トリアリルオキシ-1,3,5-トリアジン、トリアリルアミン、ホウ酸トリアリル、トリアリルホスフィン、フマル酸ジアリル、3-(アリルオキシ)-1-プロピン、ジプロパルギルアミン、5,6-ジメチル-5-デセン-1,9-ジイン、グリオキサールビス(ジアリルアセタール)、テトラアリルシラン、プロパルギルエーテル、スクワレン、トリメチロールプロパントリ(3-メルカプトプロピオネート)、ペンタエリスリトールテトラ(3-メルカプトプロピオネート)、ポリ(エチレングリコール)テトラチオール、トリス[2(3-メルカプトプロピオニルオキシ)エチル]イソシアヌレート、ペンタエリスリトールテトラキス(2-メルカプトアセテート)トリチオシアヌル酸又は1-チオヘキシトールである、項19に記載のコンポジット材料。
［項２１］
架橋ゲルが複数のグラフト末端基をさらに含む、項1〜20のいずれか一項に記載のコンポジット材料。
［項２２］
グラフト末端基が、チオール官能基を有する分子又は炭素-炭素不飽和結合を有する分子から誘導される、項21に記載のコンポジット材料。
［項２３］
グラフト末端基が、チオール官能基を有する分子から誘導される、項21に記載のコンポジット材料。
［項２４］
チオール官能基を有する分子が、3-メルカプトプロピオン酸、1-メルカプトコハク酸、システイン残基を有するペプチド、システイン残基を有するタンパク質、システアミン、1-チオヘキシトール、ポリ(エチレングリコール)2-メルカプトエチルエーテル酢酸、ポリ(エチレングリコール)メチルエーテルチオール、1-チオグリセロール、2-ナフタレンチオール、ビフェニル-4-チオール、3-アミノ-1,2,4-トリアゾール-5-チオール、5-(トリフルオロメチル)ピリジン-2-チオール、1-[2-(ジメチルアミノ)エチル]-1H-テトラゾール-5-チオール、1-プロパンチオール、1-ブタンチオール、1-ペンタンチオール、1-ヘキサンチオール、1-オクタンチオール、8-アミノ-1-オクタンチオール塩酸塩、3,3,4,4,5,5,6,6,7,7,8,8,8-トリデカフルオロ-1-オクタンチオール、8-メルカプト-1-オクタノール又はγ-Glu-Cysである、項23に記載のコンポジット材料。
［項２５］
コンポジット材料が膜である、項1〜24のいずれか一項に記載のコンポジット材料。
［項２６］
コンポジット材料を作製する方法であって、
第1のモノマー、第1の架橋剤、光開始剤及び溶媒を一緒にし、それによりモノマー混合物を形成するステップであって、第1のモノマーが、2つのチオール官能基を含み、第1の架橋剤が、(i)少なくとも3つの炭素-炭素二重結合、(ii)少なくとも2つの炭素-炭素三重結合、又は(iii)少なくとも1つの炭素-炭素三重結合及び少なくとも1つの炭素-炭素二重結合を含む、ステップ、
支持部材をモノマー混合物に接触させ、それにより、修飾支持部材を形成するステップであって、支持部材が、その支持部材を貫通する複数の細孔を有し、細孔の平均細孔径が約0.1〜約25μmである、ステップ、
修飾支持部材をポリマーシートにより被覆し、それにより被覆支持部材を形成するステップ、並びに
被覆支持部材にある時間、照射を行い、それにより、コンポジット材料を形成するステップ
を含む方法。
［項２７］
コンポジット材料が、項1〜25のいずれか一項に記載のコンポジット材料である、項26に記載の方法。
［項２８］
コンポジット材料を、光開始剤、及び複数の末端基前駆体を含む混合物に接触させ、それによりグラフト混合物を形成するステップであって、末端基前駆体が、チオール官能基を有する分子又は炭素-炭素不飽和結合を有する分子である、ステップ、並びに
グラフト混合物にある時間、照射を行いそれにより、修飾コンポジット材料を形成するステップ
をさらに含む、項26又は27に記載の方法。
［項２９］
光開始剤が、ベンゾイン又はベンゾインエーテル、ベンゾフェノン、ジアルコキシアセトフェノン、2,2-ジメトキシ-2-フェニルアセトフェノン、ジフェニル(2,4,6-トリメチルベンゾイル)ホスフィンオキシド、ヒドロキシアルキルフェノン、1-ヒドロキシ-シクロヘキシル-フェニル-ケトン、4-(2-ヒドロキシエトキシ)フェニル-(2-ヒドロキシ-2-プロピル)ケトン、1-[4-(2-ヒドロキシエトキシ)-フェニル]-2-ヒドロキシ-2-メチル-1-プロパン-1-オン、2-ヒドロキシ-1-[4-(2-ヒドロキシエトキシ)フェニル]-2-メチル-1-プロパノン、α-ヒドロキシメチルベンゾインスルホン酸エステル、2-ヒドロキシ-2-メチルプロピオフェノン、リチウムアシルホスフィネート又は2-メチル-1-[4-(メチルチオ)フェニル]-2-(4-モルホリニル)-1-プロパノン、4,4'-アゾビス(4-シアノ吉草酸)(ACVA)、又はそれらの混合物である、項26から28のいずれか一項に記載の方法。
［項３０］
溶媒が、N,N'-ジメチルアセトアミド(DMAc)、(±)-1,3-ブタンジオール(Budiol)、ジ(プロピレングリコール)メチルエーテルアセテート(DPMA)、水、ジ(プロピレングリコール)ジメチルエーテル(DPM)、ジ(プロピレングリコール)プロピルエーテル(DPGPE)、ジ(プロピレングリコール)メチルエーテル(DPGME)、トリ(プロピレングリコール)ブチルエーテル(TPGBE)、3-メチル-1,3-ブタンジオール、3,3-ジメチル-1,2-ブタンジオール、3-メトキシ-1-ブタノール、ジメチルスルホキシド(DMSO)又はN,N-ジメチルホルムアミド(DMF)、エチレングリコール、ジ(エチレングリコール)、トリ(エチレングリコール)、テトラ(エチレングリコール)、ヘキシレングリコール、ドデシル硫酸ナトリウム又はそれらの混合物を含む、項26から29のいずれか一項に記載の方法。
［項３１］
ある時間が、約1分間、約5分間、約10分間、約15分間、約20分間、約30分間、約45分間又は約1時間である、項26〜30のいずれか一項に記載の方法。
［項３２］
第1の流速で、ある物質を含む第1の流体を、項1〜25のいずれか一項に記載のコンポジット材料に接触させ、それにより、コンポジット材料上に前記物質の一部を吸着又は吸収させるステップを含む方法。
［項３３］
第1の流体が、断片化抗体、凝集抗体、宿主細胞由来タンパク質、ポリヌクレオチド、内毒素又はウイルスをさらに含む、項32に記載の方法。
［項３４］
第1の流体の流体流通経路が、実質的に、コンポジット材料のマクロ細孔を通る、項32又は33に記載の方法。
［項３５］
第1の流体の流体流通経路が、コンボジット材料のマクロ細孔に実質的に垂直である、項32又は33に記載の方法。
［項３６］
前記物質の実質的にすべてが、第1の流体に接触した後、コンポジット材料上に吸着又は吸収される、項32〜35のいずれか一項に記載の方法。
［項３７］
第2の流速で、第2の流体をコンポジット材料上に吸着又は吸収された物質に接触させ、それにより、コンポジット材料から前記物質の一部を放出させるステップ
をさらに含む、項32〜36のいずれか一項に記載の方法。
［項３８］
第2の流体の流体流通経路が、実質的に、コンポジット材料のマクロ細孔を通る、項37に記載の方法。
［項３９］
第2の流体の流体流通経路が、コンボジット材料のマクロ細孔に実質的に垂直である、項37に記載の方法。
［項４０］
前記物質が、生体分子、生体イオン、ウイルス又はウイルス粒子である、項32〜39のいずれか一項に記載の方法。
［項４１］
生体分子又は生体イオンが、アルブミン、リゾチーム、ウイルス、細胞、ヒト及び動物起源のγ-グロブリン、ヒト及び動物起源の免疫グロブリン、組換え及び天然起源のタンパク質、合成及び天然起源のポリペプチド、インターロイキン-2及びその受容体、酵素、モノクローナル抗体、トリプシン及びその阻害剤、シトクロムC、ミオグロビン、ミオグロブリン、α-キモトリプシノーゲン、組換えヒトインターロイキン、組換え融合タンパク質、核酸由来生成物、合成及び天然起源のDNA、及び合成及び天然起源のRNAからなる群から選択される、項40に記載の方法。
［項４２］
生体分子又は生体イオンが、リゾチーム、hIgG、ミオグロビン、ヒト血清アルブミン、ダイズトリプシンインヒビター、トランスフェリング、エノラーゼ、オボアルブミン、リボヌクレアーゼ、卵トリプシンインヒビター、シトクロムc、アネキシンV又はα-キモトリプシノーゲンである、項40に記載の方法。
［項４３］
第1の流体中の物質の濃度が、約0.2mg/mL〜約10mg/mLである、項32〜42のいずれか一項に記載の方法。
［項４４］
第1の流速が、約3膜容量(MV)/分〜約70MV/分である、項32〜43のいずれか一項に記載の方法。